(57)【要約】【課題】片側が吹き抜け等である部分で上階側壁パネルと下階側のマグサまたは小壁を接合する際に、従来問題であったガセットによる出っ張りを解消し、作業性を向上させた壁パネルの接合構造を得る。【解決手段】上階側壁パネル１２と下階側マグサまたは小壁１８を上階側の床パネル１１の端縁部分を介して接合するにあたって、上階側壁パネルを、上階側床パネルの端縁部分に胴差しボルト１５およびナット１６ａ，１６ｂにより締結固定するとともに、上階側床パネル１１の端縁部分を、下階側のマグサまたは小壁１８との間であって床パネル１１の内側寄りの部分にのみパッキン材２２を介して付設したガセット２０により結合固定する。【選択図】        図１
2004150046.tif 000002
【特許請求の範囲】
【請求項１】
上階側の壁パネルと下階側のマグサまたは小壁を上階側の床パネルの端縁部分を介して接合する壁パネルの接合構造であって、
前記上階側の壁パネルは、上階側の床パネルの端縁部分に胴差しボルトおよびナットにより締結固定されるとともに、
前記上階側の床パネルの端縁部分が、前記下階側のマグサまたは小壁との間であって前記床パネルの内側寄りの部分に付設したガセットにより結合固定されていることを特徴とする壁パネルの接合構造。
【請求項２】
請求項１記載の壁パネルの接合構造において、
前記上階側の床パネルの端縁部分に設けられている芯材または半土台と、前記下階側のマグサまたは小壁との間に生じる表面段差は、該芯材または半土台に付設したパッキン材によって補修されていることを特徴とする壁パネルの接合構造。
【請求項３】
請求項１または請求項２記載の壁パネルの接合構造において、
前記上階側の床パネルの端縁部分であって該床パネルの外側寄りの部分には、前記上階側の壁パネルの表面と下階側のマグサまたは小壁の表面との間に表面段差が生じないように胴差しが付設されていることを特徴とする壁パネルの接合構造。
【請求項４】
請求項１、請求項２または請求項３記載の壁パネルの接合構造において、
前記上階側の壁パネルの表面、胴差しの表面、下階側のマグサまたは小壁の表面には、同一垂直面を一連に形成する防火材が配設されていることを特徴とする壁パネルの接合構造。
【発明の詳細な説明】
【０００１】
【発明の属する技術分野】
本発明は、たとえば２階建ての建物において２階壁パネルとこれに２階床パネルを介して接合されるマグサまたは小壁とを接合する際に用いられる壁パネルの接合構造に関する。
【０００２】
【従来の技術】
従来、住宅等の建築に際して、上階の壁パネルおよび床パネルを締め付け固定するとともに、その床パネルをマグサに接合固定する場合に、図２および図３に示すような接合構造が採られていた。
【０００３】
たとえば２階建て建物において、２階側の床パネル３１上に２階側の壁パネル３２を建て起こす前に、床パネル３１の芯材または半土台（以下、芯材という）３１ａに設けたボルト挿通孔３３に胴差しボルト３４を挿通するとともに、床パネル３１の芯材３１ａに形成された切り欠き部３５を介して、胴差しボルト３４の下端に座金３６ａを介してナット３６を螺合させる。
この状態で、床パネル３１上に壁パネル３２を建て起こした後、胴差しボルト３４の上端を壁パネル３２における芯材３２ａのボルト挿通孔３７に挿通するとともに、その胴差しボルト３４の上端に座金３８ａを介してナット３８を螺合させて、壁パネル３２を床パネル３１に締め付け固定する。
【０００４】
続いて、床パネル３１の切り欠き部３５の両側開口面にパッキン材３９を接着剤により接着して、床パネル３１の芯材３１ａと床パネル３１を支持する１階側のマグサ（または小壁）４０との間の表面段差を補修する。さらに、この状態において、各パッキン材３９およびマグサ４０の表面にガセット４１を接着剤により接着するとともに、各ガセット４１上から床パネル３１の芯材３１ａおよびマグサ４０に複数の釘４２を打ち込む。これにより、床パネル３１とマグサ４０との間を接合固定するとともに、床パネル３１の切り欠き部３５の両側開口面を閉塞している。
【０００５】
そして、このような従来知られている接合構造によれば、２階側の床パネル３１を挟んで２階側の壁パネル３２と１階側のマグサ（または小壁）４０とを接合するにあたって、１階側の壁パネルと２階側の壁パネルとを固定するために一般に用いている周知の胴差しボルト、ナット等を用いることができるものであった（例えば、特許文献１参照）。
【０００６】
【特許文献１】
特開平９−３２１５８号公報（第２−３頁、図５、図６、図７）
【０００７】
【発明が解決しようとする課題】
ところで、上述したような接合構造によれば、複数階建ての建物において吹き抜けや階段室にあたる部分に適用する際に問題があった。
たとえば図４に示すようなパネル構造による２階建て建物３０において、図中Ａで示す部分のように片側が吹き抜けＢとされるところで、２階側の壁パネル３２を、上述した接合構造により２階側床パネル３１を介してマグサ（または小壁）４０と接合したときに、吹き抜けＢ側の面に部分的な出っ張りが生じる。
【０００８】
これを詳述すると、上述した壁パネルの接合構造では、２階側の床パネル３１の芯材３１ａと１階側のマグサ４０とを、両側面に付設したガセット４１で連結しているため、該ガセット４１の厚さ分だけの出っ張りを生じることを避けられないものであった。特に、この部分の外側に、石膏ボード等が防火材として設けられるものであるが、上述した出っ張り部分は石膏ボードも別部材で構成して出っ張らせる必要があり、作業性の面からも問題であった。
【０００９】
上述したガセット４１に対応する部分の石膏ボードの厚さを防火性能等の基準を満足できる程度に設定し、それ以外の部分の石膏ボードの厚さを上記の出っ張りを解消できる程度に厚くすることも考えられるが、石膏ボードの全体としての厚さが必要以上に厚くなり、コスト高を招くという点で問題であった。このような問題は、出っ張り分のスペーサを設けた場合にも同様であり、作業性も悪くなることから、同様であった。
【００１０】
本発明はこのような事情に鑑みてなされたものであり、上階側の壁パネルと下階側のマグサまたは小壁を上階側の床パネルを介して接合する際に、該接合部分の片側が吹き抜けや階段室である場合において、従来問題であったガセット等による出っ張りを解消し、外観を損なわないようにし、しかも施工が簡単で、作業性に優れ、コスト面でも有利である壁パネルの接合構造を得ることを目的とする。
【００１１】
【課題を解決するための手段】
このような目的に応えるために本発明（請求項１記載の発明）に係る壁パネルの接合構造は、上階側の壁パネルと下階側のマグサまたは小壁を上階側の床パネルの端縁部分を介して接合する壁パネルの接合構造であって、前記上階側の壁パネルは、上階側の床パネルの端縁部分に胴差しボルトおよびナットにより締結固定されるとともに、前記上階側の床パネルの端縁部分が、前記下階側のマグサまたは小壁との間であって前記床パネルの内側寄りの部分に付設したガセットにより結合固定されていることを特徴とする。
ここで、ガセットは、床パネルの外側寄りの部分には存在しておらず、床パネルの内側寄りの部分にのみ付設されていることは勿論である。
【００１２】
本発明（請求項２記載の発明）に係る壁パネルの接合構造は、請求項１において、前記上階側の床パネルの端縁部分に設けられている芯材または半土台と、前記下階側のマグサまたは小壁との間に生じる表面段差は、該芯材または半土台に付設したパッキン材によって補修されていることを特徴とする。
【００１３】
本発明（請求項３記載の発明）に係る壁パネルの接合構造は、請求項１または請求項２において、前記上階側の床パネルの端縁部分であって該床パネルの外側寄りの部分には、前記上階側の壁パネルの表面と下階側のマグサまたは小壁の表面との間に表面段差が生じないように胴差しが付設されていることを特徴とする。
【００１４】
本発明（請求項４記載の発明）に係る壁パネルの接合構造は、請求項１、請求項２または請求項３において、前記上階側の壁パネルの表面、胴差しの表面、下階側のマグサまたは小壁の表面には、同一垂直面を一連に形成する防火材が配設されていることを特徴とする。
【００１５】
本発明によれば、上階側の壁パネルと下階側のマグサまたは小壁を上階側の床パネルを介して接合する際に、該接合部分の片側が吹き抜けや階段室である場合において、従来問題であったガセット等による出っ張りを解消し、簡単な作業で防火性能が確保することができるから、作業性やコスト面で優れている等の利点を奏するのである。
【００１６】
【発明の実施の形態】
図１は本発明に係る壁パネルの接合構造の一実施の形態を示し、この実施の形態では、図４等に示した２階建て建物３０において、吹き抜けＢに臨んで配置される壁パネルの接合部１０について説明する。
【００１７】
図において、符号１１は２階側の床パネル、１１ａは床パネル１１の芯材または半土台（以下、芯材という）、１２は前記床パネル１１の端縁部分に立設される２階側の壁パネルである。この壁パネル１２は、その芯材１２ａが、前記床パネル１１の芯材１１ａおよびこれに並設されている胴差し１３間に形成されているボルト挿通孔１４に挿通させた胴差しボルト１５およびその両端のナット１６ａ，１６ｂによって、床パネル１１の端縁部上に建て起こされた状態で固定されている。
【００１８】
前記床パネル１１の芯材１１ａにおいて、ナット１６ｂに相当する部位には、切り欠き１７が形成され、前記胴差しボルト１５に対してナット１６ｂを側方から螺合させて締結固定操作を行えるように構成されている。
また、上記のナット１６ａの螺合を行うために、壁パネル１２の一部にも切り欠き開口（図示せず）が形成され、適宜の閉塞部材により閉塞されるように構成されている。
【００１９】
１８は１階側において前記２階側の壁パネル１２と結合されるマグサまたは小壁（以下、マグサという）であり、このマグサ１８と前記床パネル１１の芯材１１ａとの間には、これらを反吹き抜け側において連結固定するためのガセット２０が、前記切り欠き１７の開口を閉塞する状態で付設され、釘２１で打ち込まれることで固定されている。
【００２０】
このガセット２０は、上記の部材１８，１１ａを連結することにより、前記２階側の壁パネル１２と１階側のマグサ１８とを床パネル１１を介して結合する部材である。
本発明によれば、このようなマグサ１８を２階側の壁パネル１２に結合するにあたって、片側に吹き抜けＢがある場合に、上記のガセット２０を反吹き抜け側にのみ配設するように構成したことを特徴としている。
【００２１】
この場合において、このようなガセット２０としては、従来結合部の両側に設けていたガセットの厚さの少なくても２倍、あるいはそれ以上の厚さをもつものを用いる。たとえば従来厚さ５．５ｍｍのガセットを２枚用いていた場合には、厚さ１２ｍｍのガセット２０を用いて、片側（耐力壁の片側胴差しボルト部分）を連結するようにするとよい。
【００２２】
ここで、図中２２は前記床パネル１１の芯材１１ａとマグサ１８の反吹き抜け側において生じる表面段差を補修するためのスペーサであるパッキン材である。これに対して、吹き抜けＢ側において、２階側の壁パネル１２の表面、胴差し１３、さらに１階側のマグサ１８の表面は段差が生じないような状態とされている。
【００２３】
図中２４は上記の表面段差を生じない吹き抜け側の部分に配設される防火材としての石膏ボードであり、出っ張りのない状態で配設することができるのである。２５は２階側壁パネル１２の内側に付設される石膏ボード、２６は１階側のマグサ１８および床パネル１１の下面部分に配設される石膏ボードである。
【００２４】
このような構成によれば、２階建て建物３０において、２階側の床パネル１１の側端部上に２階側の壁パネル１２を建て起こす前に、床パネル１１の芯材１１ａに設けたボルト挿通孔１４に胴差しボルト１５を挿通するとともに、床パネル１１の芯材１１ａに形成された切り欠き部１７を介して、胴差しボルト１５の下端に座金を介してナット１６ｂを螺合させる。この状態で、床パネル１１上に壁パネル１２を建て起こした後、胴差しボルト１５の上端を壁パネル１２における芯材１２ａのボルト挿通孔に挿通するとともに、その胴差しボルト１５の上端に座金を介してナット１６ａを螺合させて、壁パネル１２を床パネル１１に締め付け固定する。
【００２５】
続いて、床パネル１１の切り欠き部１７の開口のうち、反吹き抜け側の開口面にパッキン材２２を接着剤により接着して、床パネル１１の芯材１１ａと床パネル１１を支持する１階側のマグサ１８との間の表面段差を補修する。さらに、この状態において、各パッキン材２２およびマグサ１８の表面にガセット２０を接着剤により接着するとともに、各ガセット２０上から床パネル１１の芯材１１ａおよびマグサ１８に複数の釘２１を打ち込む。これにより、床パネル１１とマグサ１８との間を接合固定するとともに、床パネル１１の切り欠き部１７の片側開口面を閉塞する。
しかる後、それぞれの外側に、防火材としての石膏ボード２４、２５、２６を配設し、ビスなどで固定すればよい。
【００２６】
以上の構成によれば、２階側の壁パネル１２と１階側のマグサ１８とを２階側の床パネル１１を介して接合する際に、該接合部分の片側が吹き抜けＢである場合において、従来問題であったガセット等による出っ張りを解消でき、簡単な作業で防火性能を確保することができ、しかも片側からガセット２０を付設することでよいから施工が簡単で、作業性に優れ、またコスト面でも有利である等の利点を奏するものである。
【００２７】
なお、本発明は上述した実施の形態で説明した構造には限定されず、各部の形状、構造等を適宜変形、変更し得ることはいうまでもない。たとえば上述した実施の形態では、２階建て建物３０において吹き抜けＢの部分にあたる壁パネルの接合部１０に本発明を適用した場合を説明したが、本発明はこれに限らず、複数階建ての建物において、吹き抜けや階段室などにおいて、片側を表面段差が生じない状態で構成することが望まれる部分に適用して効果を発揮し得るものである。
【００２８】
【発明の効果】
以上説明したように本発明に係る壁パネルの接合構造によれば、上階側の壁パネルと下階側のマグサまたは小壁を上階側の床パネルを介して接合する際に、該接合部分の片側が吹き抜けや階段室である場合において、従来問題であったガセット等による出っ張りを解消し、簡単な作業で防火性能を確保することができ、しかも全体の施工が簡単で、作業性やコスト面で優れている等の種々優れた効果を奏するものである。
【図面の簡単な説明】
【図１】本発明に係る壁パネルの接合構造の一実施の形態を示す要部断面図である。
【図２】従来の壁パネルの接合構造の一例を示す要部断面図である。
【図３】図２の壁パネルの接合構造を展開して示す概略分解斜視図である。
【図４】建物において壁パネルの接合構造を施工する部分を説明するための概略図である。
【符号の説明】
１０…壁パネルの接合部、１１…２階側（上階側）の床パネル、１１ａ…芯材または半土台、１２…２階側（上階側）の壁パネル、１２ａ…芯材、１３…胴差し、１４…ボルト挿通孔、１５…胴差しボルト、１６ａ，１６ｂ…ナット、１７…切り欠き、１８…マグサまたは小壁、２０…ガセット、２１…釘、２２…パッキン材、２４…防火材としての石膏ボード、３０…２階建て建物、Ｂ…吹き抜け。
【図１】
2004150046.tif 000003
【図２】
2004150046.tif 000004
【図３】
2004150046.tif 000005
【図４】
2004150046.tif 000006